(57)【要約】【課題】  除草効果が長期間にわたって持続する除草器具を提供する。【解決手段】  除草器具１３０を、除草器具本体１３１と支持部材１３２を備えたものとし、その除草器具本体１３１を、地面の土を上側から押さえるための押さえ板部１３１ａと、地面の表層付近の土を雑草とともに削り取る第一刃部１３１ｂと、除草器具１３０の牽引方向に平行な溝を地面に掘る第二刃部１３１ｃと、第一刃部１３１ｂが削り取った土を雑草とともに除草器具本体１３０の後端側に寄せ集めて前記溝に埋め戻す左右一対の寄せ板部１３１ｄによって構成した。【選択図】図３
2017163897.tif 000002
【特許請求の範囲】
【請求項１】
地面上を牽引され、土を掘り起こすことによって除草を行う除草器具であって、
除草器具本体と、
除草器具本体を支持するための支持部材と
を備え、
除草器具本体が、
地面の土を上側から押さえるための押さえ板部と、
押さえ板部の前端部から下向きに設けられ、地面の表層付近の土を雑草とともに削り取る第一刃部と、
押さえ板部における第一刃部よりも後側の部分から下向きに突出した状態で設けられ、除草器具の牽引方向に平行な溝を地面に掘る第二刃部と、
押さえ板部の左縁部及び右縁部から下向きに突出した状態で設けられ、第一刃部が削り取った土を雑草とともに除草器具本体の後端側に寄せ集めて前記溝に埋め戻す左右一対の寄せ板部と
を備えたことを特徴とする除草器具。
【請求項２】
第二刃部の前端部が、平面視三角状に形成された請求項１記載の除草器具。
【請求項３】
第二刃部の底部が、前面視三角状に形成された請求項１又は２記載の除草器具。
【請求項４】
除草器具本体が、
押さえ板部の前端部から上向きに設けられ、土の抵抗力をその前面で受けて、除草器具本体が地中に潜り込まないようにするための潜り込み防止板部を
さらに備えた
請求項１〜３いずれか記載の除草器具。
【請求項５】
トラクターに取り付けて使用するためのトラクター用除草アタッチメントであって、
それにおける田畑の条間に配される箇所に、請求項１〜４いずれか記載の除草器具が設けられたトラクター用除草アタッチメント。
【発明の詳細な説明】
【技術分野】
【０００１】
本発明は、田畑等の除草を行うための除草器具と、この除草器具を使用したトラクター用除草アタッチメントに関する。
【背景技術】
【０００２】
近年、農薬を使用しない有機栽培により生産される農作物に対する需要は、供給を上回っており、有機栽培による農作物の生産量の増大が望まれているが、その生産量は、期待される程は増大していない。その主な原因の一つとして、有機栽培では、除草剤を使用しないことから、田畑に草が生えやすく、除草作業の労力が大幅に増大することが指摘されている。
【０００３】
例えば、有機栽培を行う水田では、「コナギ」と呼ばれる雑草が生えやすい。このコナギは、水田に影を生じさせたり、土壌中の窒素を吸収したりすることで、稲に生育不良を生じさせるため、有機栽培を行う水田では、コナギ対策が重要となっている。しかし、コナギの繁殖力は非常に強く、頻繁に除草しないとコナギの繁殖を抑えることができないため、その労力が稲作農家の大きな負担となっている。
【０００４】
ところで、水田等の田畑の除草を行う除草器具としては、これまでに各種のものが提案されている。例えば、特許文献１には、刷毛体（ブラシ）で畦面を均しながら作物の根際の除草を行うようにした根際除草具が記載されている。また、非特許文献１には、簾状に垂れ下げた多数本のチェーンを引きずりながら移動させることによって、水田の除草を行うようにしたチェーン式除草機が記載されている。特許文献１や非特許文献１には、これらの根際除草具やチェーン式除草機をトラクターで牽引することについても記載されている。
【０００５】
特許文献１の根際除草具や、非特許文献１のチェーン式除草機は、一定の除草効果を奏すると考えられるものの、その除草効果は必ずしも十分ではなく、除草作業の回数を大幅に削減できるものではないと推測される。というのも、これらの根際除草具やチェーン式除草機では、これらを用いて除草を行ったとしても、雑草が地面の表層付近に残りやすく、その雑草がそのまま生長し続けたり、再発芽したりする虞があると考えられるからである。
【先行技術文献】
【特許文献】
【０００６】
【特許文献１】実開昭６２−０１６２０４号公報
【非特許文献】
【０００７】
【非特許文献１】兵庫県立農林水産技術総合センターＷｅｂページ、“チェーン式除草機による水田雑草除草の実演公開”、［ｏｎｌｉｎｅ］、［平成２８年３月１４日検索］、インターネット＜ＵＲＬ：  http://hyogo-nourinsuisangc.jp/13-topics/13d-press/23/may_5.html  ＞
【発明の概要】
【発明が解決しようとする課題】
【０００８】
本発明は、上記課題を解決するためになされたものであり、除草を行った場所における地面の表層付近に雑草が残りにくくすることで、雑草の生長や再発芽を抑制し、除草効果が長期間にわたって持続する除草器具を提供することを目的とする。また、本発明の除草器具を使用したトラクター用除草アタッチメントを提供することも本発明の目的である。
【課題を解決するための手段】
【０００９】
上記課題は、
地面上を牽引され、土を掘り起こすことによって除草を行う除草器具であって、
除草器具本体と、
除草器具本体を支持するための支持部材と
を備え、
除草器具本体が、
地面の土を上側から押さえるための押さえ板部と、
押さえ板部の前端部から下向きに設けられ、地面の表層付近の土を雑草とともに削り取る第一刃部と、
押さえ板部における第一刃部よりも後側の部分から下向きに突出した状態で設けられ、除草器具の牽引方向に平行な溝を地面に掘る第二刃部と、
押さえ板部の左縁部及び右縁部から下向きに突出した状態で設けられ、第一刃部が削り取った土を雑草とともに除草器具本体の後端側に寄せ集めて前記溝に埋め戻す左右一対の寄せ板部と
を備えたことを特徴とする除草器具
を提供することによって解決される。
【００１０】
ここで、「押さえ板部の前端部」における「前」という語句や、「除草器具本体の後端側」における「後」という語句は、除草器具を牽引する方向を基準にしている。すなわち、除草器具を牽引する側（除草器具が進行する向き）を「前」とし、その逆側を「後」としている。また、「押さえ板部の左縁部及び右縁部」における「左」や「右」は、それぞれ、除草器具を後方から見た場合における水平方向「左」側と水平方向「右」側を意味している。「前」及び「後」並びに「左」及び「右」という語句が、上述した方向を指すことは、他の記載においても同様である。ただし、「前記」や「後述」等、「前」や「後」を含む語句であっても、空間的な位置関係を示すものでない語句については、この限りではない。
【００１１】
本発明の除草器具では、第一刃部によって土とともに削り取られた雑草を、左右一対の寄せ板部で寄せ集め、第二刃部によって掘った溝に埋め戻すことができるようになっている。このため、地面の表層付近から削り取られた雑草は、地面における深い位置に埋設されるようになっている。したがって、雑草がそのまま生長し続けることや、雑草が再発芽することを困難にし、除草効果を長期間にわたって持続させることが可能となっている。
【００１２】
雑草を埋設するための溝を掘る第二刃部は、そのような機能を発揮できるのであれば、その具体的な形態を特に限定されない。しかし、第二刃部の前端部は、平面視三角状に形成することが好ましい。土から抵抗力を受けやすい第二刃部の前端部を、先細り状に形成することにより、第二刃部が土から受ける抵抗力を削減することが可能になる。また、第二刃部の底部は、前面視三角状に形成することが好ましい。これにより、第二刃部が土から受ける抵抗力の増大を抑えながらも、地面に深い溝を掘ることが可能になる。したがって、第一刃部によって削り取られた雑草を、さらに深い場所に埋設することもできるようになり、除草効果をさらに増大させることが可能になる。
【００１３】
本発明の除臓器具においては、除草器具本体を、押さえ板部の前端部から上向きに設けられ、土の抵抗力をその前面で受けて、除草器具本体が地中に潜り込まないようにするための潜り込み防止板部をさらに備えたものとすることも好ましい。除草器具を牽引する際に除草器具本体が地中に潜り込んでしまうと、第一刃部や第二刃部が機能を発揮しにくくなるところ、潜り込み防止板部を設けることにより、第一刃部や第二刃部が機能を安定して発揮することが可能になる。
【００１４】
また、上記課題は、トラクターに取り付けて使用するためのトラクター用除草アタッチメントであって、それにおける田畑の条間に配される箇所に、上述した本発明の除草器具を設けたトラクター用除草アタッチメントを提供することによっても解決される。ここで、「トラクター」という語句は、車輪やキャタピラー等を備えた自走式の農業機械の全般を指すものとして用いている。すなわち、「トラクター」という語句は、狭義には、特定の目的に特化した農業機械（例えば、田植機や管理機等）を除外した汎用の自走式の農業機械のみを指すこともあるが、本明細書においては、田植え機や管理機等の特定の目的に特化した農業機械も、「トラクター」の概念に含めている。
【発明の効果】
【００１５】
以上のように、本発明によって、除草を行った場所における地面の表層付近に雑草が残りにくくすることで、雑草の生長や再発芽を抑制し、除草効果が長期間にわたって持続する除草器具を提供することが可能になる。また、本発明の除草器具を使用したトラクター用除草アタッチメントを提供することも可能になる。
【図面の簡単な説明】
【００１６】
【図１】本発明のトラクター用除草アタッチメントを用いて水田の除草を行っている様子を上方から見た状態を示した図である。
【図２】本発明のトラクター用除草アタッチメントを用いて水田の除草を行っている様子を側方から見た状態を示した図である。
【図３】本発明の除草器具を示した斜視図である。
【図４】本発明の除草器具を上方から見た状態を示した図である。
【図５】本発明の除草器具を下方から見た状態を示した図である。
【図６】本発明の除草器具を後方から見た状態を示した図である。
【図７】本発明の除草器具を側方から見た状態を示した図である。
【発明を実施するための形態】
【００１７】
本発明のトラクター用除草アタッチメント及び除草器具について、図面を用いてより具体的に説明する。図１は、本発明のトラクター用除草アタッチメント１００を用いて水田の除草を行っている様子を上方から見た状態を示した図である。図２は、本発明のトラクター用除草アタッチメント１００を用いて水田の除草を行っている様子を側方から見た状態を示した図である。以下においては、説明の便宜上、水田の除草を行う場合を例に挙げて説明するが、本発明のトラクター用除草アタッチメント及び除草器具は、水田以外の畑においても使用することができる。
【００１８】
１．トラクター用除草アタッチメント
本実施態様において、トラクター用除草アタッチメント１００は、図１及び図２に示すように、トラクター２００の後部に取り付けて使用するためのものとなっており、矢印Ａの向きに前進するトラクター２００に牽引されることによって、水田の除草を行うものとなっている。本実施態様では、トラクター２００として田植機を用いており、田植機における昇降台２１０に標準装備された田植ユニット（図示省略）を取り外し、この田植ユニットを取り外した箇所に、トラクター用除草アタッチメント１００を取り付けて使用するようにしている。ただし、本発明のトラクター用除草アタッチメント１００は、田植機に取り付けて使用するものに限定されず、管理機や汎用トラクター等、他の自走式の農業機械に取り付けて使用するようにしてもよい。
【００１９】
トラクター用除草アタッチメント１００は、後述する除草器具１３０を備えたものであれば特に限定されない。本実施態様においては、図１に示すように、基軸１１０と、支持アーム１２０と、除草器具１３０と、土寄せ器具１４０と、チェーン取付部材１５０と、チェーン１６０とによって、トラクター用除草アタッチメント１００を構成している。基軸１１０は、左右方向に延びる棒状部材となっており、昇降台２１０に固定された軸受２１１に支持されている。支持アーム１２０は、その前端部を基軸１１０に支持されている。本実施態様においては、支持アーム１２０を複数本設けている（支持アーム１２１，１２２，１２３，１２４，１２５を参照）。除草器具１３０は、真ん中の支持アーム１２３の後端部と、最も左側の支持アーム１２１の後端部と、最も右側の支持アーム１２５の後端部とに、それぞれ取り付けられている。土寄せ器具１４０は、左から２番目の支持アーム１２２の後端部と、右から２番目の支持アーム１２４の後端部とに、それぞれ取り付けられている。チェーン取付部材１５０は、左右方向に延びるビーム状の部材となっており、支持アーム１２２の後端部と、支持アーム１２４の後端部とに、それぞれ取り付けられている。チェーン１６０は、チェーン取付部材１５０における、除草器具１３０と土寄せ器具１４０との隙間となる箇所に、複数本ずつ設けられている。それぞれのチェーン１６０は、その前端側がチェーン取付部材１５０に取り付けられ、その後端側がチェーン取付部材１５０から下側に垂れ下がるようになっている。
【００２０】
上述した各部材のうち、除草器具１３０は、トラクター用除草アタッチメント１００における、水田の条間（前後方向に延びる複数本の苗３００の列の隙間）となる箇所に配される。すなわち、除草器具１３０は、水田の条間に生えた雑草の除草を行うためのものとなっている。また、土寄せ器具１４０は、トラクター用除草アタッチメント１００における、水田の条間となる箇所のうち、トラクター２００の車輪２２０の後方となる箇所に配される。この土寄せ器具１４０は、その周囲の土を寄せ集めることによって、トラクター２００の車輪２２０によって地面に形成された轍を埋めるためのものとなっている。ただし、この土寄せ器具１４０によっても、除草効果が奏されるようになっている。さらに、チェーン１６０は、トラクター用除草アタッチメント１００における、水田の条（前後方向に延びる苗３００の列）に重なる箇所に配される。チェーン１６０は、苗３００の株間（前後方向に隣り合う苗３００の隙間）に生えた雑草を引き抜くためのものとなっている。トラクター２００が前進すると、チェーン１６０の後端側が水田の地面上を引きずられるため、チェーン１６０は、株間の雑草だけでなく苗３００にも覆い被さるようになるが、チェーン１６０は、雑草を引き抜くことはできても、苗３００を引き抜いたり、苗３００にダメージを与えたりすることのない程度の重量を有するものが使用される。チェーン１６０を構成する鎖素子は、一般的な形態を有するものを用いてもよい。しかし、本実施態様においては、株間に生えた雑草のみを効率的に除草することができるようにするため、側面視形状がＶ字状になるように折れ曲がった鎖素子によってそれぞれのチェーン１６０を構成している。
【００２１】
既に述べた通り、本実施態様のトラクター用除草アタッチメント１００は、トラクター２００の昇降台２１０に取り付けて使用する。トラクター用除草アタッチメント１００で除草を行う場合には、昇降台２１０を矢印Ｂ（図２）の向きに下降させ、除草器具１３０が地面４００に接触するようにする。一方、トラクター用除草アタッチメント１００で除草を行わない場合には、昇降台２１０を矢印Ｃ（図２）の向きに上昇させ、除草器具１３０が地面４００に接触しないようにする。本実施態様においては、図２に示すように、支持アーム１２０は、第一リンク部材１２０ａと第二リンク部材１２０ｂと第三リンク部材１２０ｃと第四リンク部材１２０ｄと第五リンク部材１２０ｅとで構成されたリンク機構を為している。このリンク機構によって、地面４００の凹凸等に従って除草器具１３０を上下動させるとともに、除草器具１３０が上下動した際にチェーン取付部材１５０を地面４００に対して平行に保つことが可能となっている。
【００２２】
以上のトラクター用除草アタッチメント１００をトラクター２００に取り付け、除草器具１３０やチェーン１６０を地面４００に接触させた状態でトラクター２００を前進させると、トラクター用除草アタッチメント１００がトラクター２００によって牽引される。このとき、除草器具１３０や土寄せ器具１４０によって、地面の土が雑草とともに削り取られて埋め戻され、条間の除草が行われる。除草器具１３０は、後述するように、土とともに削り取られた雑草を深い場所に埋設することができる特殊な構造を有しており、長期間にわたって除草効果が維持されるものとなっている。また、チェーン１６０によって株間の雑草が引き抜かれることによって、株間の除草が行われる。さらに、車輪２２０の轍が土寄せ器具１４０によって埋められる。
【００２３】
２．除草器具
続いて、上記のトラクター用除草アタッチメント１００で使用した除草器具１３０について、より詳しく説明する。図３は、本発明の除草器具１３０を示した斜視図である。図４は、本発明の除草器具１３０を上方から見た状態を示した図である。図５は、本発明の除草器具１３０を下方から見た状態を示した図である。図６は、本発明の除草器具１３０を後方から見た状態を示した図である。図７は、本発明の除草器具１３０を側方から見た状態を示した図である。
【００２４】
本実施態様において、除草器具１３０は、図３に示すように、土を掘り起こすための除草器具本体１３１と、支持アーム１２０に対して除草器具本体１３１を連結して支持するための支持部材１３２とを備えたものとなっている。除草器具１３０の横幅Ｗ１（図４）は、苗３００の条間の幅Ｗ０（図１）と同程度かやや狭く設定される。
【００２５】
２．１  支持部材
支持部材１３２は、その前端側を支持アーム１２０（図２）における第四リンク部材１２０ｄに固定されるロッド部１３２ａと、ロッド部１３２ａの後端部が固定される軸部１３２ｂと、軸部１３２ｂを回転可能な状態で支持する軸受部１３２ｃとで構成されている。軸受部１３２ｃは、除草器具本体１３１の前端部付近における上面側に固定されている。このため、除草器具本体１３１は、それが載置される地面４００（図２）の起伏等に応じて、ロッド部１３２ａに対して軸部１３２ｂの中心線Ｌを中心に回転することができる状態となっている。
【００２６】
２．２  除草器具本体
一方、除草器具本体１３１は、押さえ板部１３１ａと、第一刃部１３１ｂと、第二刃部１３１ｃと、寄せ板部１３１ｄと、潜り込み防止板部１３１ｅとで構成されている。
【００２７】
２．２．１  押さえ板部
押さえ板部１３１ａは、図７に示すように、地面４００の土を上側から押さえ、後述する第一刃部１３１ｂが土とともに削り取った雑草が除草器具本体１３１の上方へ逃げないようにするためのものとなっている。押さえ板部１３１ａの形状は、特に限定されないが、本実施態様においては、図４に示すように、平面視台形状となっており、前端側の左右幅が広く、後端側の左右幅が狭くなっている。上述した支持部材１３２における軸受部１３２ｃは、押さえ板部１３１ａの前端部付近の上面に固定されている。
【００２８】
２．２．２  第一刃部
第一刃部１３１ｂは、地面４００の表層付近の土を雑草とともに削り取るためのものとなっている。第一刃部１３１ｂは、押さえ板部１３１ａの前端部付近から後方斜め下向きに設けられている。本実施態様においては、第一刃部１３１ｂを、除草器具１３０の前端部付近を横方向（ｘ軸方向）に横切るように連続して設けており、第一刃部１３１ｂの横幅Ｗ２（図５）は、除草器具１３０の横幅Ｗ１と同程度かやや狭く形成している。このため、除草器具１３０を横切る方向の略全区間にわたって、除草効果が得られるようになっている。加えて、第一刃部１３１ｂによって、除草器具本体１３１が地中に深く潜り込まないように、除草機本体１３１に揚力を生じさせることも可能となっている。除草器具１３０の横幅Ｗ１に対する第一刃部１３１ｂの横幅Ｗ２の比Ｗ２／Ｗ１は、１以下であれば特に限定されないが、０．７以上とすることが好ましく、０．８以上とすることがより好ましい。本実施態様において、比Ｗ２／Ｗ１は、約０．８３となっている。
【００２９】
第一刃部１３１ｂの高さＨ１（図７）は、通常、寄せ板部１３１ｄの前端部の高さＨ０（図７）よりも低く設定される。というのも、第一刃部１３１ｂの高さＨ１が寄せ板部１３１ｄの前端部の高さＨ０よりも低いと、第一刃部１３１ｂが土とともに削り取った雑草が寄せ板部１３１ｄの前側から寄せ板部１３１ｄの外側へ逃げやすくなる虞があるからである。寄せ板部１３１ｄの前端部の高さＨ０と第一刃部１３１ｂの高さＨ１との差Ｈ０−Ｈ１は、３ｍｍ以上とすることがより好ましく、５ｍｍ以上とすることがさらに好ましい。ただし、差Ｈ０−Ｈ１を大きくしすぎると、寄せ板部１３１ｄが地面４００に深く入り込みやすくなる。このため、差Ｈ０−Ｈ１は、通常、３０ｍｍ以下とされる。本実施態様において、差Ｈ０−Ｈ１は、約６ｍｍとなっている。
【００３０】
第一刃部１３１ｂの高さＨ１（図７）の具体的な値は、特に限定されない。しかし、第一刃部１３１ｂの高さＨ１が低すぎると、除草効果が低下する虞がある。このため、第一刃部１３１ｂの高さＨ１は、５ｍｍ以上とすることが好ましく、１０ｍｍ以上とすることがより好ましい。一方、第一刃部１３１ｂの高さＨ１が高すぎると、除草器具１３０が土から受ける抵抗力が増大し、除草器具１３０が地面から浮き上がりやすくなる虞がある。このため、第一刃部１３１ｂの高さＨ１は、３０ｍｍ以下とすることが好ましく、２５ｍｍ以下とすることがより好ましい。本実施態様において、第一刃部１３１ｂの高さＨ１は、１５〜２０ｍｍ程度となっている。
【００３１】
第一刃部１３１ｂの傾斜角度θ１（図７）も、特に限定されない。しかし、傾斜角度θ１が小さすぎると、第一刃部１３１ｂによって地面４００の表層を削り取りにくくなる虞があるだけでなく、上述した揚力が除草器具本体１３１に生じにくくなる虞もある。このため、傾斜角度θ１は、２０°以上とすることが好ましく、３０°以上とすることがより好ましい。一方、傾斜角度θ１が大きすぎると、第一刃部１３１ｂによって削り取られた土が第一刃部１３１ｂの前方に引っ掛かりやすくなり、除草器具１３０の後方へ移動しにくくなる虞がある。このため、傾斜角度θ１は、通常、９０°以下とされる。傾斜角度θ１は、７０°以下であることが好ましく、６０°以下であることがより好ましい。本実施態様において、傾斜角度θ１は、約４５°となっている。
【００３２】
２．２．３  第二刃部
第二刃部１３１ｃは、図７に示すように、押さえ板部１３１ａにおける第一刃部１３１ｂが設けられた箇所よりも後側の部分から下向きに突出した状態で設けられる。本実施態様においては、押さえ板部１３１ａにおける前後方向（ｙ軸方向）中間部よりもやや前寄りの箇所であって、押さえ板部１３１ａの左右方向（ｘ軸方向）中央部に、第二刃部１３１ｃを設けている。この第二刃部１３１ｃは、地面４００に、除草器具１３０の牽引方向（ｙ軸方向）に平行な溝を掘るためのものとなっている。第二刃部１３１ｃが掘った溝は、第一刃部１３１ｂが土とともに削り取った雑草を埋め戻すために用いられる。これにより、雑草を地面４００から深い位置に埋設し、雑草の再発芽を抑制することが可能となっている。
【００３３】
第二刃部１３１ｃの具体的な形態は、特に限定されないが、本実施態様においては、図４に示すように、第二刃部１３１ｃの前端部を、平面視三角状に形成するとともに、図６に示すように、第二刃部１３１ｃの底部を、後面視（前面視）三角状に形成している。このため、第二刃部１３１ｃが土から受ける抵抗力を小さく抑えながらも、地面４００に深い溝を掘ることができるようになっている。第二刃部１３１ｃの前端部は、船の舳先状に形成することもできる。これにより、第二刃部１３１ｃが土から受ける抵抗力をさらに削減することが可能になる。本実施態様においては、図１に示すように、１つのトラクター用除草アタッチメント１００につき、３個の除草器具１３０を設けているが、両側の除草器具１３０における第二刃部１３１ｃは、船の舳先状に形成している。
【００３４】
第二刃部１３１ｃの横幅Ｗ３（図５）は、特に限定されない。しかし、第二刃部１３１ｃの横幅Ｗ３が狭すぎると、第二刃部１３１ｃによって掘られる溝の幅が狭くなり、第一刃部１３１ｂが土とともに削り取った雑草の多くが溝に入りきらなくなる虞がある。このため、第二刃部１３１ｃの横幅Ｗ３（場所によって横幅Ｗ３が異なる場合にはその最大値。以下同じ。）は、第一刃部１３１ｂの横幅Ｗ２に対する第二刃部１３１ｃの横幅Ｗ３の比Ｗ３／Ｗ２が、０．１以上となるようにすることが好ましい。比Ｗ３／Ｗ２は、０．２以上であることがより好ましく、０．２５以上であることがさらに好ましい。一方、第二刃部１３１ｃの横幅Ｗ３が広すぎると、第二刃部１３１ｃの両側のスペースα（図５において目の細かい網掛けハッチングで示したスペース）が小さくなり、第一刃部１３１ｂや第二刃部１３１ｃが掘り起こした土が第二刃部１３１ｃよりも後方に移動しにくくなる虞がある。このため、第二刃部１３１ｃの横幅Ｗ３は、比Ｗ３／Ｗ２が、０．６以下となるようにすることが好ましい。比Ｗ３／Ｗ２は、０．５以下であることがより好ましく、０．４以下であることがさらに好ましい。本実施態様において、比Ｗ３／Ｗ２は、０．３弱となっている。
【００３５】
第二刃部１３１ｃの高さＨ２（図７）は、通常、第一刃部１３１ｂの高さＨ１よりも高く設定される。また、第二刃部１３１ｃによってより深い溝が掘られるようにするためには、第二刃部１３１ｃの高さＨ２は、寄せ板部１３１ｄの前端部の高さＨ０（図７）よりも高くすることが好ましく、寄せ板部１３１ｄの後端部の高さＨ３（図７）よりも高くすることがより好ましい。第二刃部１３１ｃの高さ高さＨ２と寄せ板部１３１ｄの後端部の高さＨ３との差Ｈ２−Ｈ３は、５ｍｍ以上とすることがより好ましく、１０ｍｍ以上とすることがさらに好ましい。ただし、差Ｈ２−Ｈ３を大きくしすぎると、寄せ板部１３１ｄが地面４００から浮いた状態となりやすくなる虞がある。このため、差Ｈ２−Ｈ３は、通常、５０ｍｍ以下とされ、好ましくは、３０ｍｍ以下とされる。本実施態様において、差Ｈ２−Ｈ３は、約１０ｍｍとなっている。
【００３６】
第二刃部１３１ｃの高さＨ２の具体的な値は、特に限定されない。しかし、第二刃部１３１ｃの高さＨ２が低すぎると、第二刃部１３１ｃが掘る溝の深さが浅くなり、第一刃部１３１ｂが削り取った雑草を深い位置に埋め戻すことができなくなる虞や、第一刃部１３１ｂが土とともに削り取った雑草の多くが溝に入りきらなくなる虞がある。このため、第二刃部１３１ｃの高さＨ２は、２０ｍｍ以上とすることが好ましく、３０ｍｍ以上とすることがより好ましく、４０ｍｍ以上とすることがさらに好ましい。一方、第二刃部１３１ｃの高さＨ２が高すぎると、第二刃部１３１ｃが土から受ける抵抗力が大きくなりすぎる虞がある。このため、第二刃部１３１ｃの高さＨ２は、１００ｍｍ以下とすることが好ましく、７０ｍｍ以下とすることがより好ましい。本実施態様において、第二刃部１３１ｃの高さＨ２は、約４５ｍｍとなっている。
【００３７】
第二刃部１３１ｃの前後長Ｌ１（図５）も、特に限定されない。しかし、第二刃部１３１ｃの前後長Ｌ１を長くしすぎると、第一刃部１３１ｂが土とともに削り取った雑草を、第二刃部１３１ｃが掘った溝に埋め戻しにくくなる虞がある。すなわち、第一刃部１３１ｂが土とともに削り取った雑草は、後述するように、左右一対の寄せ板部１３１ｄによって除草器具本体１３１の左右方向（ｘ軸方向）中央部に寄せ集められ、第二刃部１３１ｃの後側のスペースβ（図５において目の大きな網掛けハッチングで示したスペース）において、第二刃部１３１ｃが掘った溝に埋め戻されるところ、第二刃部１３１ｃの前後長Ｌ１が長すぎると、第二刃部１３１ｃの後側のスペースβを十分に確保することができなくなる虞がある。このため、第二刃部１３１ｃの前後長Ｌ１は、押さえ板部１３１ａの前後長Ｌ０（図５）に対するスペースβの前後長Ｌ２（図５）の比Ｌ２／Ｌ０を０．３以上確保できるように設定することが好ましい。比Ｌ２／Ｌ０は、０．４以上であることがより好ましく、０．５以上であることがさらに好ましい。本実施態様において、比Ｌ２／Ｌ０は、約０．５３となっている。
【００３８】
第二刃部１３１ｃの前端部の傾斜角度θ２（図７）も、特に限定されない。しかし、傾斜角度θ２が小さすぎると、第二刃部１３１ｃの前後方向（ｙ軸方向）の長さを長く確保する必要が生じ、第二刃部１３１ｃの後側のスペースβ（図５）を十分に確保できなくなる虞がある。このため、傾斜角度θ２は、２０°以上とすることが好ましく、３０°以上とすることがより好ましい。一方、傾斜角度θ２を大きくしすぎると、第二刃部１３１ｃが土から受ける抵抗力が大きくなる虞がある。このため、傾斜角度θ２は、７０°以下にすることが好ましく、６０°以下にすることがより好ましい。本実施態様において、傾斜角度θ２は、約４５°となっている。
【００３９】
第二刃部１３１ｃの前端部の開き角度θ３（図５）も、特に限定されない。しかし、開き角度θ３が小さすぎると、第二刃部１３１ｃの前後方向（ｙ軸方向）の長さを長く確保する必要が生じ、第二刃部１３１ｃの後側のスペースβ（図５）を十分に確保できなくなる虞がある。このため、開き角度θ３は、３０°以上とすることが好ましく、４０°以上とすることがより好ましく、４５°以上とすることがさらに好ましい。一方、開き角度θ３を大きくしすぎると、第二刃部１３１ｃが土から受ける抵抗力が大きくなる虞がある。このため、開き角度θ３は、１２０°以下とすることが好ましく、１００°以下とすることがより好ましく、９０°以下とすることがさらに好ましい。本実施態様において、開き角度θ３は、約５０°となっている。
【００４０】
２．２．４  寄せ板部
寄せ板部１３１ｄは、図３に示すように、押さえ板部１３１ａの左縁部及び右縁部から下向きに突出した状態で、左右一対に設けられる。本実施態様においては、押さえ板部１３１ａの左縁部及び右縁部の略全区間にわたって寄せ板部１３１ｄを設けている。この寄せ板部１３１ｄは、第一刃部１３１ｂが土とともに削り取った雑草を、除草器具本体１３１の後端側に寄せ集め、第二刃部１３１ｃの後側のスペースβにおいて、第二刃部１３１ｃが掘った溝に埋め戻すためのものとなっている。このため、左右一対の寄せ板部１３１ｄは、その前端側の間隔よりも、後端側の間隔の方が狭くなるように、平面視「八」の字状に配している。
【００４１】
前後方向（ｙ軸方向）に対するそれぞれの寄せ板部１３１ｄの傾斜角度θ４（図４）は、０°よりも大きければ、特に限定されない。しかし、傾斜角度θ４が小さすぎると、寄せ板部１３１ｄを前後方向（ｙ軸方向）に長く設ける必要が生じ、除草器具１３０が大型化してしまう。このため、傾斜角度θ４は、５°以上とすることが好ましく、１０°以上とすることがより好ましい。一方、傾斜角度θ４が大きすぎると、寄せ板部１３１ｄが土から受ける抵抗力が大きくなる。このため、傾斜角度θ４は、４５°以下とすることが好ましく、３０°以下とすることがより好ましい。本実施態様において、傾斜角度θ４は、約１２°となっている。
【００４２】
寄せ板部１３１ｄは、その前端部から後端部にかけて高さが一定になるように形成してもよいが、前端部の高さＨ０よりも後端部の高さＨ１の方が高くなるように、寄せ板部１３１ｄの下面を傾斜させることが好ましい。これにより、寄せ板部１３１ｄが土から受ける抵抗力を小さくすることが可能になる。寄せ板部１３１ｄの前端部の高さＨ０や寄せ板部１３１ｄの後端部の高さＨ３は、第一刃部１３１ｂの高さＨ１や第二刃部１３１ｃの高さＨ２と上述したような関係を満たすように設定することが好ましい。本実施態様において、寄せ板部１３１ｄの前端部の高さＨ０は、２１〜２６ｍｍ程度となっており、寄せ板部１３１ｄの後端部の高さＨ３は、約３５ｍｍとなっている。
【００４３】
２．２．５  潜り込み防止板部
潜り込み防止板部１３１ｅは、図３に示すように、押さえ板部１３１ａの前端部から上向きに設けられる。本実施態様においては、潜り込み防止板部１３１ｅを、前方斜め上向きに設けている。潜り込み防止板部１３１ｅは、それ単独の部材で形成してもよいが、本実施態様においては、図７に示すように、潜り込み防止板部１３１ｅを、第一刃部１３１ｂと連続する１枚の板材によって形成している。すなわち、１枚の板材を所定形状に折り曲げ、当該板材の前端側を潜り込み防止板部１３１ｅとして利用し、当該板材の後端側を第一刃部１３１ｂとして利用するようにしている。
【００４４】
この潜り込み防止板部１３１ｅは、土の抵抗力Ｆ１（図７）をその前面で受け、除草器具本体１３１が地中に潜り込まないようにするためのものとなっている。この潜り込み防止板部１３１ｅによって、第一刃部１３１ｂによって地面４００の表層付近の土を雑草とともにより確実に削り取るだけでなく、第二刃部１３１ｃによって地面４００に所定の深さの溝をより確実に掘ることが可能となっている。また、本実施態様において、潜り込み防止板部１３１ｅは、除草器具本体１３１のストッパーとしての機能をも有している。すなわち、図２の矢印Ｃで示す向きにトラクター用除草アタッチメント１００を上昇させた際に、潜り込み防止板部１３１ｅの上端部が支持部材１３２に突き当たるようになっており、除草器具本体１３１の後端側が下向きに垂れ下がった状態とならないようになっている。これにより、トラクター用除草アタッチメント１００を上昇させたときに、除草器具本体１３１が地面４００に接触しないようにする（除草器具本体１３１が地面４００を引きずられないようにする）ことができる。
【００４５】
潜り込み防止板部１３１ｅの高さＨ４（図７）は、特に限定されない。しかし、潜り込み防止板部１３１ｅが低すぎると、除草器具本体１３１の地中への潜り込みを防止しにくくなるだけでなく、上述したストッパーとしての機能を発揮しにくくなる虞がある。このため、潜り込み防止板部１３１ｅの高さＨ４は、２０ｍｍ以上とすることが好ましく、４０ｍｍ以上とすることがより好ましい。一方、潜り込み防止板部１３１ｅの高さＨ４が高すぎても、潜り込み防止板部１３１ｅが大型化するだけで、あまり意味がない。このため、潜り込み防止板部１３１ｅの高さＨ４は、通常、７０ｍｍ以下とされる。本実施態様において、潜り込み防止板部１３１ｅの高さＨ４は、約５５ｍｍとなっている。
【００４６】
潜り込み防止板部１３１ｅの傾斜角度θ５（図７）も、特に限定されない。しかし、潜り込み防止板部１３１ｅの傾斜角度θ５が小さすぎると、潜り込み防止板部１３１ｅの高さＨ４をかなり高く設定しておかなければ、潜り込み防止板部１３１ｅの前方の土が潜り込み防止板部１３１ｅの上側を乗り越えやすくなる。このため、潜り込み防止板部１３１ｅの傾斜角度θ５は、３０°以上とすることが好ましい。潜り込み防止板部１３１ｅの傾斜角度θ５は、４０°以上とすることがより好ましく、５０°以上とすることがさらに好ましい。一方、潜り込み防止板部１３１ｅの傾斜角度θ５を９０°よりも大きくしても、潜り込み防止板部１３１ｅの前面側を土が登り、潜り込み防止板部１３１ｅの前方の土が潜り込み防止板部１３１ｅの上側を乗り越えやすくなる。このため、潜り込み防止板部１３１ｅの傾斜角度θ５は、通常、９０°よりも小さくされる。潜り込み防止板部１３１ｅの傾斜角度θ５は、８０°以下であることが好ましく、７０°以下であることがより好ましい。本実施態様において、潜り込み防止板部１３１ｅの傾斜角度θ５は、約６０°となっている。
【符号の説明】
【００４７】
１００    トラクター用除草アタッチメント
１１０    基軸
１２０    支持アーム
１２０ａ  第一リンク部材
１２０ｂ  第二リンク部材
１２０ｃ  第三リンク部材
１２０ｄ  第四リンク部材
１２０ｅ  第五リンク部材
１２１    支持アーム
１２２    支持アーム
１２３    支持アーム
１２４    支持アーム
１２５    支持アーム
１３０    除草器具
１３１    除草器具本体
１３１ａ  押さえ板部
１３１ｂ  第一刃部
１３１ｃ  第二刃部
１３１ｄ  寄せ板部
１３１ｅ  潜り込み防止板部
１３２    支持部材
１３２ａ  ロッド部
１３２ｂ  軸部
１３２ｃ  軸受部
１４０    土寄せ器具
１５０    チェーン取付部材
１６０    チェーン
２００    トラクター
２１０    昇降台
２１１    軸受
２２０    車輪
３００    苗
４００    地面
Ｆ１  潜り込み防止板部が受ける土の抵抗力
Ｈ０  寄せ板部の前端部の高さ
Ｈ１  第一刃部の高さ
Ｈ２  第二刃部の高さ
Ｈ３  寄せ板部の後端部の高さ
Ｈ４  潜り込み防止板部の高さ
Ｌ    軸部の中心線
Ｌ０  押さえ板部の前後長
Ｌ１  第二刃部の前後長
Ｌ２  第二刃部の後側のスペースの前後長
Ｗ０  苗の条間の幅
Ｗ１  除草器具の横幅
Ｗ２  第一刃部の横幅
Ｗ３  第二刃部の横幅
α    第二刃部の両側のスペース
β    第二刃部の後側のスペース
θ１  第一刃部の傾斜角度
θ２  第二刃部の前端部の傾斜角度
θ３  第二刃部の前端部の開き角度
θ４  寄せ板部の傾斜角度
θ５  潜り込み防止板部の傾斜角度
【図１】
2017163897.tif 000003
【図２】
2017163897.tif 000004
【図３】
2017163897.tif 000005
【図４】
2017163897.tif 000006
【図５】
2017163897.tif 000007
【図６】
2017163897.tif 000008
【図７】
2017163897.tif 000009